(57)【要約】【課題】開口部を備えた間仕切り壁およびその構築方法を提案する。【解決手段】床に固定保持される床側係止部材と、天井に固定保持される天井側係止部材と、長手方向の一端が該床側係止部材にスライド可能に連係され、長手方向の他端が該天井側係止部材にスライド可能に連係され、かつ、該床側係止部材および天井側係止部材のそれぞれに沿う横並び配列にて間仕切り壁を形成する複数枚の幅狭、長尺の壁板材とを備え、前記床側係止部材を、間隔を隔てて向かい合う端面を有し、その端面相互間において開口部を形成する少なくとも２部材にて構成する。【選択図】図１
2018178567.tif 000002
【特許請求の範囲】
【請求項１】
床に固定保持される床側係止部材と、天井に固定保持される天井側係止部材と、長手方向の一端が該床側係止部材にスライド可能に連係され、長手方向の他端が該天井側係止部材にスライド可能に連係され、かつ、該床側係止部材および天井側係止部材のそれぞれに沿う横並び配列にて間仕切り壁を形成する複数枚の幅狭、長尺の壁板材とを備え、
前記床側係止部材は、間隔を隔てて向かい合う端面を有し、その端面相互間において開口部を形成する少なくとも２部材からなる、ことを特徴とする間仕切り壁。
【請求項２】
前記端面相互間において形成される開口部は、一端が該天井側係止部材に連係され、幅方向の両端縁がそれぞれ前記壁板材の幅端縁につながる垂れ壁を有し、
該垂れ壁は、該壁板材と同等の幅を有する短尺壁板材の横並び配列によって形成されたものからなる、ことを特徴とする請求項１に記載した間仕切り壁。
【請求項３】
前記床側係止部材は、前記床に合わさる床ベースと、該床ベースに起立姿勢で一体連結するとともに前記壁板材の長手方向の一端に連係可能な起立壁とからなり、
前記天井側係止部材は、前記天井に合わさる天井ベースと、該天井ベースに垂下姿勢で一体連結するとともに前記壁板材の長手方向の他端に連係可能な垂下壁とからなり、
前記壁板材の長手方向の一端に、両端が開放され該床側係止部材の起立壁にスライド可能に嵌まり込む溝部を設け、その長手方向の他端に、両端が開放され該天井側係止部材の垂下壁にスライド可能に嵌まり込む溝部を設けた、ことを特徴とする請求項１または２に記載した間仕切り壁。
【請求項４】
前記壁板材は、その幅方向の一方の端縁もしくは両方の端縁に嵌合して横並び配列に係わる他の壁板材との相互連結を可能とする実継手を有する、ことを特徴とする請求項１〜３のいずれか１項に記載した間仕切り壁。
【請求項５】
請求項１に記載した間仕切り壁を構築するに当たり、
前記床側係止部材の少なくとも２つを、その端面同士が間隔を隔てて向かい合う対向姿勢に保持して床に設置、固定するとともに、前記天井側係止部材を天井に設置、固定し、次いで、前記壁板材の長手方向の他端を前記天井側係止部材に連係させる一方、該壁板材の長手方向の一端を該床側係止部材の端面を通して該床側係止部材に連係させ、かつ、該壁板材を該床側係止部材および該天井側係止部材に沿わせてスライドさせる動作を該床側係止部材の全域にわたって繰り返すことにより間仕切り壁を形成する、ことを特徴とする間仕切り壁の構築方法。
【発明の詳細な説明】
【技術分野】
【０００１】
本発明は、室内を複数の領域に仕切るのに好適な間仕切り壁およびその構築方法に関するものである。
【背景技術】
【０００２】
従来の間仕切り壁は、天井に取り付けられる笠木と、床に取り付けられる巾木と、その相互間で支持される仕切りパネルによって構成するのが普通である。
【０００３】
ところで、かかる間仕切り壁は、仕切りパネルのサイズが大きく、その重量も重いことから、構成部材の運搬や間仕切り壁の組み立てを効率的に行うことができない不具合を有している。
【０００４】
この点に関する先行技術として、例えば、特許文献１には、両辺に第１嵌合部を有する第１パネルと、両辺に第２嵌合部を有する第２パネルと、該第１嵌合部、第２嵌合部に嵌合する第３嵌合部を有する支柱とを備え、第１嵌合部及び第２嵌合部の少なくとも一部が第３嵌合部に挿入するか、あるいは、第３嵌合部の少なくとも一部を第１嵌合部及び第２嵌合部に挿入、嵌合させることによって構成される間仕切り壁が提案されている。
【先行技術文献】
【特許文献】
【０００５】
【特許文献１】特開２０１０−９５８８６号公報
【０００６】
上記特許文献１は、パネルが第１パネルと第２パネルで構成されており、第１パネル、第２パネルを同じ支柱を介して固定するものであることから、構成部材の重量が軽減され、その取り扱いが比較的容易になったものの、支柱を用いたこの種の間仕切り壁では、一方の支柱にパネルを組み付けたのち、もう一方の支柱でパネルを挟み込んで固定するのが一般的であり、支柱の固定を終えるまでは、パネルの姿勢が不安定にならざるを得ず、作業負担が大きいのが現状であった。また、この種の間仕切り壁では、間仕切り壁の任意の位置にドアや引き戸を取り付けるための開口部を設ける場合、パネルの長さや幅寸法を適宜調整する面倒な作業が必要であり、開口部を有する間仕切り壁を効率的に構築するのは困難であった。
【発明の概要】
【発明が解決しようとする課題】
【０００７】
本発明の課題は、引戸やドア等を取り付ける開口部を必要とする場合であっても、簡便な作業のもとで開口部を備えた間仕切り壁を効率的に構築するところにある。
【課題を解決するための手段】
【０００８】
本発明は、床に固定保持される床側係止部材と、天井に固定保持される天井側係止部材と、長手方向の一端が該床側係止部材にスライド可能に連係され、長手方向の他端が該係止部材にスライド可能に連係され、かつ、該床側係止部材および天井側係止部材のそれぞれに沿う横並び配列にて間仕切り壁を形成する複数枚の幅狭、長尺の壁板材とを備え、
前記床側係止部材は、間隔を隔てて向かい合う端面を有し、その端面相互間において開口部を形成する少なくとも２部材からなる、ことを特徴とする間仕切り壁である。
【０００９】
上記の構成からなる間仕切り壁において、前記端面相互間において形成される開口部は、一端が該天井側係止部材に連係され、幅方向の両端縁がそれぞれ前記壁板材の幅端縁につながる垂れ壁を有し、該垂れ壁は、該壁板材と同等の幅を有する短尺壁板材の横並び配列によって形成されたものからなるのが好ましい。
【００１０】
また、前記床側係止部材は、前記床に合わさる床ベースと、該床ベースに起立姿勢で一体連結するとともに前記壁板材の長手方向の一端に連係可能な起立壁とからなり、
前記天井側係止部材は、前記天井に合わさる天井ベースと、該天井ベースに垂下姿勢で一体連結するとともに前記壁板材の長手方向の他端に連係可能な垂下壁とからなり、
前記壁板材の長手方向の一端に、両端が開放され該床側係止部材の起立壁にスライド可能に嵌まり込む溝部を設け、その長手方向の他端に、両端が開放され該天井側係止部材の垂下壁にスライド可能に嵌まり込む溝部を設けたものを適用するのが望ましい。
【００１１】
前記壁板材には、その幅方向の一方の端縁もしくは両方の端縁に嵌合して横並び配列に係わる他の壁板材との相互連結を可能とする実継手を設けることができる。
【００１２】
また、本発明は、間仕切り壁を構築するに当たり、前記床側係止部材の少なくとも２つを、その端面同士が間隔を隔てて向かい合う対向姿勢に保持して床に設置、固定するとともに、前記天井側係止部材を天井に設置、固定し、次いで、前記壁板材の長手方向の他端を前記天井側係止部材に連係させる一方、該壁板材の長手方向の一端を該床側係止部材の端面を通して該床側係止部材に連係させ、かつ、該壁板材を該床側係止部材および該天井側係止部材に沿わせてスライドさせる動作を該床側係止部材の全域にわたって繰り返すことにより間仕切り壁を形成することを特徴とする間仕切り壁の構築方法である。
【発明の効果】
【００１３】
本発明によれば、床側係止部材を、間隔を隔てて向かい合う端面を有する少なくとも２部材からなるものを適用するようにしたため、その端面相互間には壁板材が配置されることがなくその部位には開口部が形成される。床側係止部材の設置位置を適宜変更することにより、間仕切り壁の任意の位置に開口部を設けることが可能であり、間仕切り壁の多彩なレイアウトが可能となる。
【００１４】
また、本発明によれば、床側係止部材、天井側係止部材の相互間で複数枚の壁板材をそれに沿ってスライドさせるだけで間仕切り壁を形成することが可能であり作業負担は軽減された効率的な施行が行える。
【図面の簡単な説明】
【００１５】
【図１】本発明にしたがう間仕切り壁の実施の形態を模式的に示した外観斜視図である。
【図２】図１に示した間仕切り壁の正面図である。
【図３】図２のＡ−Ａ断面を示した図である。
【図４】（ａ）は、図２のＢ−Ｂ断面を示した図であり、（ｂ）は、図２のＣ−Ｃ断面を示した図であり、（ｃ）は、図２のＤ−Ｄ断面を示した図である。
【図５】本発明にしたがう間仕切り壁の壁板材および実継手のみを分解状態で表示した外観斜視図である。
【図６】本発明にしたがう間仕切り壁の構築要領の説明図である。
【図７】本発明にしたがう間仕切り壁の構築要領の説明図である。
【図８】本発明にしたがう間仕切り壁の構築要領の説明図である。
【図９】本発明にしたがう間仕切り壁の他の実施の形態を示した図である。
【図１０】図９に示した間仕切り壁の正面を示した図である。
【図１１】図１０のＥ−Ｅ断面を示した図である。
【図１２】（ａ）は、図１０のＦ−Ｆ断面を示した図であり、（ｂ）は、図１０のＧ−Ｇ断面を示した図である。
【発明を実施するための形態】
【００１６】
以下、図面を用いて本発明をより具体的に説明する。
図１は、本発明にしたがう間仕切り壁の実施の形態を模式的に示した外観斜視図であり、図２は、図１に示した間仕切り壁の正面を示した図である。また、図３は、図２のＡ−Ａ断面であり、図４（ａ）は、図２のＢ−Ｂ断面を示した図であり、図４（ｂ）は、図２のＣ−Ｃ断面を示した図であり、図４(ｃ)は、図２のＤ−Ｄ断面を示した図であり、図５は、図１に示した間仕切り壁の一部分を分解状態で示した外観斜視図である。なお、図１における一点鎖線で表示した部分は、室の空間領域を表示したものであって、その上面が室の天井を、その下面が室の床を、その側面が室の壁をそれぞれ表しており、間仕切り壁の開口部には、引戸を取り付けるための枠材と引戸鴨居を設けたものとして示してある（引戸は図示せず）。
【００１７】
図における符号１、２は、床にビス等の締結手段を介して固定保持される床側係止部材、３は、天井にビス等の締結手段を介して固定保持される天井側係止部材、４は、間仕切り壁を形成する幅狭、長尺の壁板材である。
【００１８】
壁板材４は、長手方向の一端（図では下端）が床側係止部材１、２にスライド可能に連係され、長手方向の他端（図では上端）が天井側係止部材３にスライド可能に連係され、かつ、該床側係止部材１、２および天井側係止部材３のそれぞれに沿う横並び配列にて間仕切り壁を形成している。壁板材４としては、具体的には、厚さ３０ｍｍ、幅２１０ｍｍ、長さが任意（フリー）になる縦長矩形状の木材（杉、檜等）が用いられるが、厚さや幅、形状、材質については任意に変更される。
【００１９】
床側係止部材１、２は、間隔Ｌを隔てて向かい合う端面（図６の符号１′、２′）を有する２部材で構成されたものを例として示してあり、その端面１′、２′の相互間において開口部Ｍが形成されている。開口部Ｍの間口は、床側係止部材１、２の端面１′、２′の相互間隔を変更することによって適宜変更される。
【００２０】
床側係止部材１、２としては、具体的に、床に直接置かれる矩形形状、かつ、細長の床ベース１ａ、２ａと、床ベース１ａ、２ａに起立姿勢でその全長にわたって一体連結するとともに壁板材４の長手方向の一端に連結可能な矩形状の起立壁１ｂ、２ｂとからなり、その断面がＴ字形状をなす鋼鉄製部材が用いられる。床側係止部材１、２としては、厚さが４ｍｍ程度、床ベース１ａ、２ａの幅寸法が４０ｍｍ程度、起立壁１ｂ、２ｂの高さ寸法が３７ｍｍ程度のものを用いることができるが、この寸法に限定されることはない。
【００２１】
また、天井側係止部材３としては、天井に直接合わさる矩形状、かつ、細長の天井ベース３ａと、天井ベース３ａに垂下姿勢で一体連結するとともに壁板材４の長手方向の他端に連係可能な矩形状の垂下壁３ｂとからなり、その断面形状がＴ字形状をなす鋼鉄製部材が用いられる。開口部Ｍを残して室を完全に間仕切りする場合には、天井側係止部材３は、一方の壁から対向する他方の壁にわたる長さを有する単一のものが適用される。天井側係止部材３のサイズについては、床側係止部材１、２と同等とすることができる。
【００２２】
床側係止部材１と床側係止部材２とは基本的には同一直線上に配置される。また、床側係止部材１、２は天井側係止部材３の真下に該天井側係止部材３と平行に配置される。
【００２３】
また、符号５は、壁板材４の長手方向の一端に設けられた溝部（図１、５参照）であり、６は壁板材４の長手方向の他端に設けられた溝部（図１、５参照）である。溝部５、６はいずれも幅方向の両端がそれぞれ開放されたものであり、溝部５に床側係止部材１、２の起立壁１ｂ、２ｂが嵌まり込むことによって壁板材４が床側係止部材１、２にスライド可能に連係し、溝部６に天井側係止部材３の垂下壁３ｂが嵌まり込むことによって壁板材４が天井側係止部材３にスライド可能に連係するようになっている。
【００２４】
また、符号７は、開口部Ｍに設けられた垂れ壁である。この垂れ壁７は、一端（図では、上端）が天井側係止部材３に連係され、幅方向の両端縁がそれぞれ壁板材４の幅端縁につながるものであって、壁板材４と同等の幅を有する短尺壁板材７ａ〜７ｅを横並び配列することによって構成されている。なお、この短尺壁板材７ａ〜７ｅは、図示はしないがその一端には、天井側係止部材３に連係させる壁板材４の溝部５と同様の溝部が形成されている（図示せず）。
【００２５】
また、符号８は、壁板材４の幅方向の端縁に嵌合して横並び配列に係わる他の壁板材４との相互連結を可能とする実継手である。壁板材４は、幅方向の端縁同士を相互に接触させることにより間仕切り壁を形成することができるが、実継手８を設けることで壁板材４同士が強固に連結されることになる。実継手８は、壁板材４の長さから、床側係止部材１、２の起立壁１ｂ、２ｂの寸法および天井側係止部材３の垂下壁３ｂの寸法を差し引いた長さをもった矩形状をなす板状部材を適用することができ、実継手８を用いる場合、壁板材４の幅方向の一方の端縁もしくは両方の端縁には、該実継手８の幅端部が所定の嵌合代でもって嵌合可能な溝部９が設けられる。実継手８としては、厚さ４ｍｍ程度、幅３７ｍｍ程度、長さが任意になるアクリル製部材を用いることができるが、サイズや材質についてもとくに限定されない。
【００２６】
また、１０は、開口部Ｍの幅方向縁部に設けられた建具枠材、１１は、開口部Ｍの上縁部に設けられた引戸用の鴨居である。建具枠材１０としては、３０ｍｍ×５０（４０）ｍｍ×長さ（任意）の杉、檜が用いられ、引戸用の鴨居１１は、５０ｍｍ×６０ｍｍ×長さ（任意）の杉あるいは檜が用いられる。なお、建具枠材１０、引戸用の鴨居１１のサイズは、開口部Ｍのサイズに応じて種々変更され得る。
【００２７】
かかる間仕切り壁を構築するに当たっては、まず、図６に示すように、床側係止部材１、２を、その端面１′、２′同士が間隔を隔てて向かい合うように床に設置（床側係止部材１、２の反対側の端面１′′、２′′は、壁に当接させる）、固定するとともに、天井側係止部材３を天井に設置、固定する。
【００２８】
そして、次に、壁板材４の長手方向の他端を天井側係止部材３に連係させる一方、該壁板材４の長手方向の一端を該床側係止部材１、２の端面１′、２′を通して該床側係止部材１、２に連係させ、かつ、図７に示すように、該壁板材４を該床側係止部材１、２および該天井側係止部材３に沿わせて順次壁側に向けてスライドさせていき、これを、該床側係止部材１、２の全域にわたって繰り返せばよく、これにより開口部Ｍを有する間仕切り壁が形成される。
【００２９】
なお、間仕切り壁を構築するに当たっては、壁板材４の相互間を実継手８で連結するため、壁板材４と実継手８とを交互に配列、嵌合させていくが、実継手８による連結を省略することもできる。
【００３０】
間仕切り壁が構築された後において、開口部Ｍに垂れ壁７を形成するには、短尺壁板材７ａ〜７ｅを横並び配列とし（短尺壁板材の相互間に該短尺板材と同じ長さになる実継手を入れて連結する場合には、短尺壁板材と実継手を交互に配列する）、これをビス等で開口枠材１２に仮止めして一体化し、図８に示すように、開口部Ｍの上部、すなわち、天井側係止部材３に連係、嵌め込んでからビス等で固定する。そして次に、開口部Ｍの横２面に開口枠材１３を取り付けビス等で固定したのち、図１に示した如く、建具枠材１０と引戸用の鴨居１１をビス等で固定する。
【００３１】
本発明は、上述したように、床側係止部材１、２、天井側係止部材３の相互間で壁板材４をスライドさせて横並び配列とする作業を行うだけで開口部Ｍを備えた間仕切り壁を構築することができる。
【００３２】
図９は、開口部Ｍにドアの取り付けを可能とする、本発明にしたがう間仕切り壁の他の実施の形態（ドアは表示せず）を示した図である。また、図１０は、図９に示した間仕切り壁の正面を示した図であり、図１１は、図１０のＥ−Ｅ断面を示した図であり、図１２（ａ）（ｂ）は、図１０のＦ−Ｆ断面、Ｇ−Ｇ断面を示した図である。この例の間仕切り壁も基本的には図１に示した間仕切り壁と同様の要領で構築されるものであって、開口部Ｍが形成されたのちにおいては、その３面に開口枠材１３、建具枠材１０が配置、固定されるものであり、この場合も開口部Ｍを備えた間仕切り壁を効率的に構築することができる。
【産業上の利用可能性】
【００３３】
本発明によれば、簡便な作業のもとで効率的な構築が可能な開口部付きの間仕切り壁およびその構築方法が提供できる。
【符号の説明】
【００３４】
１、２  床側係止部材
１′、２′  端面
１′′、２′′  反対側の端面
１ａ、２ａ  床ベース
１ｂ、２ｂ  起立壁
３  天井側係止部材
３ａ  天井ベース
３ｂ  垂下壁
４  壁板材
５、６  溝部
７  垂れ壁
７ａ〜７ｅ  短尺壁板材
８  実継手
９  溝部
１０  建具枠材
１１  鴨居
１２、１３  開口枠材
Ｍ    開口部
【図１】
2018178567.tif 000003
【図２】
2018178567.tif 000004
【図３】
2018178567.tif 000005
【図４】
2018178567.tif 000006
【図５】
2018178567.tif 000007
【図６】
2018178567.tif 000008
【図７】
2018178567.tif 000009
【図８】
2018178567.tif 000010
【図９】
2018178567.tif 000011
【図１０】
2018178567.tif 000012
【図１１】
2018178567.tif 000013
【図１２】
2018178567.tif 000014
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
床に固定保持される床側係止部材と、天井に固定保持される天井側係止部材と、長手方向の一端が該床側係止部材にスライド可能に連係され、長手方向の他端が該天井側係止部材にスライド可能に連係され、かつ、該床側係止部材および天井側係止部材のそれぞれに沿う横並び配列にて間仕切り壁を形成する複数枚の幅狭、長尺の壁板材とを備え、
前記床側係止部材は、間隔を隔てて向かい合う端面を有し、その端面相互間において開口部を形成する少なくとも２部材からなり、
前記床側係止部材は、前記床に合わさる床ベースと、該床ベースに起立姿勢で一体連結するとともに前記壁板材の長手方向の一端に連係可能な起立壁とを備え、
前記天井側係止部材は、前記天井に合わさる天井ベースと、該天井ベースに垂下姿勢で一体連結するとともに前記壁板材の長手方向の他端に連係可能な垂下壁とを備え、
前記壁板材の長手方向の一端に、両端が開放され該床側係止部材の端面を通して該床側係止部材の起立壁にスライド可能に嵌まり込む溝部を設け、その長手方向の他端に、両端が開放され該天井側係止部材の垂下壁にスライド可能に嵌まり込む溝部を設けた、ことを特徴とする間仕切り壁。
【請求項２】
前記端面相互間において形成される開口部は、一端が該天井側係止部材に連係され、幅方向の両端縁がそれぞれ前記壁板材の幅端縁につながる垂れ壁を有し、
該垂れ壁は、該壁板材と同等の幅を有する短尺壁板材の横並び配列によって形成されたものからなる、ことを特徴とする請求項１に記載した間仕切り壁。
【請求項３】
前記壁板材は、その幅方向の一方の端縁もしくは両方の端縁に嵌合して横並び配列に係わる他の壁板材との相互連結を可能とする実継手を有する、ことを特徴とする請求項１または２に記載した間仕切り壁。
【請求項４】
請求項１に記載した間仕切り壁を構築するに当たり、
前記床側係止部材の少なくとも２つを、その端面同士が間隔を隔てて向かい合う対向姿勢に保持して床に設置、固定するとともに、前記天井側係止部材を天井に設置、固定し、次いで、前記壁板材の長手方向の他端を前記天井側係止部材に連係させる一方、該壁板材の長手方向の一端を該床側係止部材の端面を通して該床側係止部材に連係させ、かつ、該壁板材を該床側係止部材および該天井側係止部材に沿わせてスライドさせる動作を該床側係止部材の全域にわたって繰り返すことにより間仕切り壁を形成する、ことを特徴とする間仕切り壁の構築方法。
【手続補正２】
【補正対象書類名】明細書
【補正対象項目名】０００８
【補正方法】変更
【補正の内容】
【０００８】
本発明は、床に固定保持される床側係止部材と、天井に固定保持される天井側係止部材と、長手方向の一端が該床側係止部材にスライド可能に連係され、長手方向の他端が該係止部材にスライド可能に連係され、かつ、該床側係止部材および天井側係止部材のそれぞれに沿う横並び配列にて間仕切り壁を形成する複数枚の幅狭、長尺の壁板材とを備え、
前記床側係止部材は、間隔を隔てて向かい合う端面を有し、その端面相互間において開口部を形成する少なくとも２部材からなり、
前記床側係止部材は、前記床に合わさる床ベースと、該床ベースに起立姿勢で一体連結するとともに前記壁板材の長手方向の一端に連係可能な起立壁とを備え、
前記天井側係止部材は、前記天井に合わさる天井ベースと、該天井ベースに垂下姿勢で一体連結するとともに前記壁板材の長手方向の他端に連係可能な垂下壁とを備え、
前記壁板材の長手方向の一端に、両端が開放され該床側係止部材の端面を通して該床側係止部材の起立壁にスライド可能に嵌まり込む溝部を設け、その長手方向の他端に、両端が開放され該天井側係止部材の垂下壁にスライド可能に嵌まり込む溝部を設けた、ことを特徴とする間仕切り壁である。
【手続補正３】
【補正対象書類名】明細書
【補正対象項目名】００１０
【補正方法】削除
【補正の内容】
【手続補正４】
【補正対象書類名】明細書
【補正対象項目名】００２０
【補正方法】変更
【補正の内容】
【００２０】
床側係止部材１、２としては、具体的に、床に直接置かれる矩形形状、かつ、細長の床ベース１ａ、２ａと、床ベース１ａ、２ａに起立姿勢でその全長にわたって一体連結するとともに壁板材４の長手方向の一端に連係可能な矩形状の起立壁１ｂ、２ｂとからなり、その断面がＴ字形状をなす鋼鉄製部材が用いられる。床側係止部材１、２としては、厚さが４ｍｍ程度、床ベース１ａ、２ａの幅寸法が４０ｍｍ程度、起立壁１ｂ、２ｂの高さ寸法が３７ｍｍ程度のものを用いることができるが、この寸法に限定されることはない。